(57)【特許請求の範囲】
【請求項１】
雌型蝶番片に雄型蝶番片が差込みシャフトを介して連結される複数の差込み式蝶番により扉体が躯体に取付けられた扉装置に於いて、前記扉体の戸尻端面に前記雌型蝶番片又は雄型蝶番片の一方が取付けられ、前記躯体の蝶番取付け面に前記雌型蝶番片又は雄型蝶番片の他方が取付けられ、前記扉体が閉状態で前記扉体の戸尻端面と前記躯体の蝶番取付け面とが対面すると共に対面した状態で前記雌型蝶番片と前記雄型蝶番片は重合しない様に上下に配置され、前記扉体の戸尻端面と前記躯体の蝶番取付け面のそれぞれの面に持上がり防止ピースが取付けられ、前記扉体が閉状態で両持上がり防止ピースは上下に隣接して位置し、前記扉体の上方向の移動に対して当接し、該扉体の上方向の移動を拘束することを特徴とする扉装置。
【発明の詳細な説明】
【技術分野】
【０００１】
本発明は、主にマンション、一戸建住宅等の建屋等の出入口に設置される扉装置に関するものである。
【背景技術】
【０００２】
近年、マンション、一戸建住宅等の建屋等の出入口に設置される扉装置には、防犯性能が求められており、現在では防犯性の強化は錠だけでなく、扉体の支持構造についても要求されている。
【０００３】
従来より図１０に示す様に、扉体１を躯体（図示では枠体２）側に開閉自在に支持する部材として蝶番３が用いられている。一般的な蝶番３が用いられた従来の扉装置について、図１１、図１２により説明する。尚、図示される蝶番３は分割可能な差込み式の蝶番を示している。
【０００４】
前記蝶番３は雄型蝶番片５と雌型蝶番片６とから成り、前記雄型蝶番片５は雄型用舌片７、差込みシャフト８を有し、前記雌型蝶番片６は雌型用舌片９、シャフト嵌合部１０を有している。
【０００５】
前記雄型蝶番片５は前記枠体２の所要箇所（図示では３箇所）に取付けられ、前記雄型蝶番片５の前記枠体２への取付けは、前記雄型用舌片７を前記枠体２へボルト付けすることで行われれる。前記雌型蝶番片６は前記枠体２の戸尻側端面の前記雄型蝶番片５と対応する前記扉体１の位置に取付けられ、前記雌型蝶番片６の戸尻端面への取付けは、前記雌型用舌片９が前記戸尻側端面にボルト付けすることで行われる。
【０００６】
前記雄型蝶番片５の前記枠体２への取付けと、前記雌型蝶番片６の前記扉体１への取付けは、それぞれ分離した状態で個別に行われ、前記扉体１の前記枠体２への取付けは、前記シャフト嵌合部１０を前記差込みシャフト８に上方から差込み、嵌合させることで行われ、嵌合状態は前記扉体１の重量で維持される。
【０００７】
該扉体１が開閉可能である為には前記枠体２との間にギャップが必要であり、前記扉体１が閉じられた状態で、前記枠体２の下枠２ａ、上枠２ｂと前記扉体１の間には開閉に必要とされるギャップＡ，Ｂが形成される。
【０００８】
又、上記した様に、前記雄型蝶番片５と前記雌型蝶番片６との連結は、前記差込みシャフト８に前記シャフト嵌合部１０を差込んだだけであるので閉じた状態でも、前記扉体１をギャップＢだけ持上げることができる。前記扉体１をギャップＢだけ持上げると、前記雄型蝶番片５に対して前記雌型蝶番片６がギャップＢだけ持上がり、前記雄型蝶番片５と前記雌型蝶番片６間に形成される間隙に前記差込みシャフト８が露出する。
【０００９】
この為、前記雄型蝶番片５と前記雌型蝶番片６との間隙に鋸歯を挿入して前記差込みシャフト８を切断することができる。又、全ての蝶番３について、前記差込みシャフト８を切断することで、前記扉体１を取外すことができ、部外者が侵入可能となる。
【発明の開示】
【発明が解決しようとする課題】
【００１０】
本発明は斯かる実情に鑑み、扉体閉状態での扉体の持上がりを防止し、蝶番のシャフトが切断できない様にし、扉装置の防犯性を向上させるものである。
【課題を解決するための手段】
【００１１】
本発明は、雌型蝶番片に雄型蝶番片が差込みシャフトを介して連結される差込み式蝶番により扉体が躯体に取付けられた扉装置に於いて、前記扉体が複数の蝶番により前記躯体に取付けられ、少なくとも前記扉体の戸尻端面と前記躯体の蝶番取付け面とが対面した状態で前記躯体と前記扉体間に、該扉体の上方向の移動を拘束する持上がり防止手段を設けた扉装置に係り、又前記持上がり防止手段は、少なくとも１つの蝶番の上下方向の向きを他の蝶番と異ならせた扉装置に係り、又前記扉体の戸尻端面、前記躯体の蝶番取付け面のいずれか一方の側にピンを突設し、いずれか他方の側に孔が設けられ、前記扉体の戸尻端面と前記躯体の蝶番取付け面とが対面した状態で前記ピンと前記孔が嵌合し、前記扉体の上下方向の移動を拘束する扉装置に係り、又前記扉体の戸尻端面、前記躯体の蝶番取付け面それぞれの面に持上がり防止ピースが取付けられ、前記扉体の戸尻端面と前記躯体の蝶番取付け面とが対面した状態で両持上がり防止ピースは上下に隣接して位置し、前記扉体の上方向の移動に対して当接し、該扉体の上方向の移動を拘束する扉装置に係り、又前記雌型蝶番片はシャフト嵌合部と舌片を有し、前記雄型蝶番片は前記シャフト嵌合部に嵌合する前記差込みシャフトと舌片とを有し、雌型用の前記舌片は前記扉体の戸尻端面、前記躯体の蝶番取付け面のいずれか一方に取付けられ、雄型用の前記舌片は前記扉体の戸尻端面、前記躯体の蝶番取付け面のいずれか他方に取付けられ、前記持上がり防止手段は、前記扉体の戸尻端面と前記躯体の蝶番取付け面とが対面した状態で両舌片間の上下方向の離反移動を拘束する扉装置に係り、又前記扉体の戸尻端面、前記躯体の蝶番取付け面の少なくともいずれか一方の面に持上がり防止ピースが取付けられ、該持上がり防止ピースは、両舌片の離反方向の移動に対し他方の面に取付けられた舌片に当接して移動を拘束する扉装置に係り、更に又一方の舌片に係合突部を形成し、他方の舌片に係合凹部を形成し、前記扉体の戸尻端面と前記躯体の蝶番取付け面とが対面した状態で前記係合突部と前記係合凹部とが嵌合して両舌片の離反方向の移動を拘束する扉装置に係るものである。
【発明の効果】
【００１２】
本発明によれば、雌型蝶番片に雄型蝶番片が差込みシャフトを介して連結される差込み式蝶番により扉体が躯体に取付けられた扉装置に於いて、前記扉体が複数の蝶番により前記躯体に取付けられ、少なくとも前記扉体の戸尻端面と前記躯体の蝶番取付け面とが対面した状態で前記躯体と前記扉体間に、該扉体の上方向の移動を拘束する持上がり防止手段を設けたので、前記扉体が閉状態で該扉体を持上げることができなくなり、前記差込みシャフトを露出させることができなくなり、防犯性が向上する。
【００１３】
又本発明によれば、前記持上がり防止手段は、少なくとも１つの蝶番の上下方向の向きを他の蝶番と異ならせたので、従来と同様の部品を用いてコストの向上無しに防犯性が高められる。
【００１４】
又本発明によれば、前記扉体の戸尻端面、前記躯体の蝶番取付け面のいずれか一方の側にピンを突設し、いずれか他方の側に孔が設けられ、前記扉体の戸尻端面と前記躯体の蝶番取付け面とが対面した状態で前記ピンと前記孔が嵌合し、前記扉体の上下方向の移動を拘束するので、又前記扉体の戸尻端面、前記躯体の蝶番取付け面それぞれの面に持上がり防止ピースが取付けられ、前記扉体の戸尻端面と前記躯体の蝶番取付け面とが対面した状態で両持上がり防止ピースは上下に隣接して位置し、前記扉体の上方向の移動に対して当接し、該扉体の上方向の移動を拘束するので、該扉体が閉状態で該扉体を持上げることができなくなり、前記差込みシャフトを露出させることができなくなり、防犯性が向上し、又前記持上がり防止ピースは後付け可能であるので、既存の扉装置にも実施可能である。
【００１５】
又本発明によれば、前記雌型蝶番片はシャフト嵌合部と舌片を有し、前記雄型蝶番片は前記シャフト嵌合部に嵌合する前記差込みシャフトと舌片とを有し、雌型用の前記舌片は前記扉体の戸尻端面、前記躯体の蝶番取付け面のいずれか一方に取付けられ、雄型用の前記舌片は前記扉体の戸尻端面、前記躯体の蝶番取付け面のいずれか他方に取付けられ、前記持上がり防止手段は、前記扉体の戸尻端面と前記躯体の蝶番取付け面とが対面した状態で両舌片間の上下方向の離反移動を拘束するので、前記扉体が閉状態で該扉体を持上げることができなくなり、前記差込みシャフトを露出させることができなくなり、防犯性が向上する。
【００１６】
又本発明によれば、前記扉体の戸尻端面、前記躯体の蝶番取付け面の少なくともいずれか一方の面に持上がり防止ピースが取付けられ、該持上がり防止ピースは、両舌片の離反方向の移動に対し他方の面に取付けられた舌片に当接して移動を拘束するので、又一方の舌片に係合突部を形成し、他方の舌片に係合凹部を形成し、前記扉体の戸尻端面と前記躯体の蝶番取付け面とが対面した状態で前記係合突部と前記係合凹部とが嵌合して両舌片の離反方向の移動を拘束するので、防犯性が向上し、前記持上がり防止ピースは後付け可能であり、既存の扉装置にも実施可能である等の優れた効果を発揮する。
【発明を実施するための最良の形態】
【００１７】
以下、図面を参照しつつ本発明を実施する為の最良の形態を説明する。
【００１８】
図１〜図４により第１の実施の形態について説明する。尚、図１〜図４中、図１１、図１２中で示したものと同等のものには同符号を付してある。又、図１〜図４中、１２はシール部材を示している。
【００１９】
第１の実施の形態では、３個の蝶番３で扉体１を躯体、例えば枠体２に取付けた場合を示しており、上下２個の蝶番３については、図１１、図１２で示したと同様な手順で取付け、又取付けた蝶番３を介して前記扉体１を前記枠体２に取付ける。
【００２０】
前記扉体１を開き、該扉体１の戸尻側端面及び前記枠体２が露出した状態とし、真ん中の蝶番３を前記扉体１、前記枠体２に取付ける。
【００２１】
雄型蝶番片５、雌型蝶番片６のいずれか、例えば前記雄型蝶番片５を前記枠体２に上下に取付けられた前記雄型蝶番片５に対して上下逆向きに前記枠体２に取付け、上下に取付けられた前記雄型蝶番片５，５と芯合せを行う。次に、前記雌型蝶番片６を他の雌型蝶番片６とは上下向きを逆にして下側から差込みシャフト８に嵌合させ、雌型用舌片９を前記扉体１に取付ける。取付けが完了した状態を図３に示す。
【００２２】
全ての蝶番３が取付けられると、上下の蝶番３については、前記雄型蝶番片５と前記雌型蝶番片６とを分離させるには、前記雄型蝶番片５の抜き方向は上方であるが、中央の該雄型蝶番片５については、抜き方向が下方となる。従って、中央の蝶番３は前記扉体１の上方への移動を拘束する持上がり防止手段として作用し、前記扉体１を上方に移動することができない。この為、前記雄型蝶番片５と前記雌型蝶番片６間に間隙が生じることなく、前記差込みシャフト８が露出しない。
【００２３】
従って、該差込みシャフト８を露出させ、該差込みシャフト８を切断することはできない。
【００２４】
尚、蝶番３が上下２個であり、１個の蝶番３で前記扉体１の重量で支持しうる強度がある場合には、例えば上側の蝶番３の前記雄型蝶番片５と前記雌型蝶番片６とを上下逆に取付けてもよい。
【００２５】
又、通常の蝶番３の配置に対して、別途、空いているスペースに蝶番３を追加して設けてもよい。この場合、既存の扉装置に対して防犯対策として、追加設置が可能である。
【００２６】
図５、図６により、第２の実施の形態について説明する。
【００２７】
第２の実施の形態では、蝶番３は通常の状態に取付け、別途持上がり防止手段を設けたものである。
【００２８】
枠体２に持上がり防止手段として、持上がり防止ピース１３を取付ける。
【００２９】
該持上がり防止ピース１３は、扉体１の厚みより小さい幅を有し、又板厚は雄型用舌片７、雌型用舌片９の板厚と同じか、薄いものとする。又、取付け位置は、前記雄型用舌片７の上端と前記持上がり防止ピース１３の下端の距離Ｅが、前記雌型用舌片９の上下寸法Ｄより若干大きい関係となっている位置とする。尚、前記持上がり防止ピース１３は蝶番３の取付けが完了した後に取付けられ、前記雄型用舌片７に対して最適な位置に固定される。
【００３０】
図６は前記扉体１が閉状態の蝶番３、即ち前記雌型用舌片９と前記持上がり防止ピース１３との関係を示しており、前記雌型用舌片９と前記持上がり防止ピース１３とは僅かな隙間を介して対向している。
【００３１】
該持上がり防止ピース１３が設けられることで、前記扉体１を持上げようとしても、前記雌型用舌片９が前記持上がり防止ピース１３に突当り、浮上がりが抑止され、前記扉体１を持上げることはできない。又、前記持上がり防止ピース１３は前記雌型用舌片９との位置関係のみで取付け位置が決定され、又、該雌型用舌片９は前記雄型用舌片７によって位置が決定される為、前記扉体１の取付け状態に経時的な変化があっても、前記雌型用舌片９と前記持上がり防止ピース１３との位置関係に変化が生じることはなく、開閉に支障が生じることはない。
【００３２】
上記した様に、前記持上がり防止ピース１３の取付けは、蝶番３取付け後に行われるので、既存の扉装置にも簡単に後付けすることができる。
【００３３】
尚、前記持上がり防止ピース１３は、図７に示される様に扉体１側に設けてもよい。
【００３４】
前記持上がり防止ピース１３を前記雌型用舌片９の下方で前記雄型用舌片７の高さ寸法Ｄより若干大きいＥだけ離して取付ける。この場合、前記扉体１を閉じた状態で、該扉体１を持上げようとすると、前記持上がり防止ピース１３が前記雄型用舌片７の下端に突当たって上方に移動できず、前記扉体１の持上がりが防止される。又、前記持上がり防止ピース１３は、前記枠体２と、前記扉体１の両方に設けてもよい。
【００３５】
図８は、第３の実施の形態を示しており、扉体１、枠体２のいずれか一方にピン１４を突設し、該ピン１４が前記扉体１、前記枠体２のいずれか他方の舌片に設けた係合孔１５に嵌合可能としたものである。第３の実施の形態では、前記ピン１４と前記係合孔１５とが持上がり防止手段を構成する。
【００３６】
図８では、前記枠体２に前記ピン１４を突設し、前記扉体１側に取付けられる雌型用舌片９に前記係合孔１５を穿設し、前記扉体１が閉状態で、前記ピン１４と前記係合孔１５とが嵌合する様にしたものである。尚、前記ピン１４の高さは、前記雌型用舌片９の厚みと同じか若干小さいものとする。
【００３７】
尚、前記係合孔１５は前記雌型用舌片９に穿設されているボルト取付け用の孔を利用すれば、前記枠体２に前記ピン１４を立設するだけの加工で簡単に而も後付けが可能である。
【００３８】
又、前記雄型用舌片９、前記雄型用舌片７を取付けるボルトは、前記枠体２、前記扉体１と干渉しない様に皿螺子が使用されるが、六角穴付ボルト等、ボルトの頭部が突出するものを使用し、該頭部を前記ピン１４として機能させ、前記枠体２、或は前記扉体１にボルトの頭部が嵌合する逃げ孔を穿設することで、前記扉体１を持上げようとするとボルトの頭部と逃げ孔とが干渉して前記扉体１の持上げが防止できる。
【００３９】
この場合、ボルトの頭部と逃げ孔とが持上がり防止手段を構成する。
【００４０】
図９は第４の実施の形態を示しており、雄型用舌片７、雌型用舌片９のいずれか一方に係合突部１６、他方に係合凹部１７を形成し、扉体１を閉じた場合に、前記係合突部１６と前記係合凹部１７とが嵌合する様にしたものである。第４の実施の形態の場合、扉体１の閉状態では前記係合突部１６と前記係合凹部１７との嵌合により、雄型蝶番片５と雌型蝶番片６との離反が拘束され、前記扉体１の持上げが防止される。
【００４１】
第４の実施の形態の場合、前記係合突部１６、前記係合凹部１７が持上がり防止手段を構成する。
【００４２】
その他、前記持上がり防止手段は、扉体１の閉状態で、該扉体１の上方への移動を拘束すればよく、例えば該扉体１と枠体２にそれぞれ持上がり防止ピース１３，１３を取付け、前記扉体１の閉状態で２つの前記持上がり防止ピース１３，１３が上下に隙間なく隣接する様にし、前記扉体１の持上げに対して前記持上がり防止ピース１３，１３同士がぶつかる様にしてもよい。
【００４３】
更に、上述した各実施の形態を適宜選択して、併用して実施することも可能であり、併用することで、前記扉体１の持上げがより確実に防止される。
【図面の簡単な説明】
【００４４】
【図１】本発明の第１の実施の形態の取付け手順を示す説明図である。
【図２】該第１の実施の形態に於ける扉体を開いた状態での平断面図である。
【図３】該第１の実施の形態に於ける扉体を開いた状態での要部正面図である。
【図４】該第１の実施の形態に於ける扉体を閉じた状態での平断面図である。
【図５】本発明の第２の実施の形態を示し、扉が開いた状態での要部斜視図である。
【図６】本発明の第２の実施の形態を示し、扉が閉じた状態での蝶番と持上がり防止ピースの関係を示す要部正面図である。
【図７】本発明の第２の実施の形態の変更例を示し、扉が開いた状態での要部斜視図である。
【図８】本発明の第３の実施の形態を示し、扉が開いた状態での要部斜視図である。
【図９】本発明の第４の実施の形態を示し、扉が開いた状態での要部斜視図である。
【図１０】扉装置の概略を示す正面図である。
【図１１】従来の扉装置を示す説明図である。
【図１２】従来の扉装置を示す要部正面図である。
【符号の説明】
【００４５】
１              扉体
２              枠体
３              蝶番
５              雄型蝶番片
６              雌型蝶番片
７              雄型用舌片
８              差込みシャフト
９              雌型用舌片
１０            シャフト嵌合部
１３            持上がり防止ピース
１４            ピン
１５            係合孔
１６            係合突部
１７            係合凹部
【図１】
0004846387.tif 000002
【図２】
0004846387.tif 000003
【図３】
0004846387.tif 000004
【図４】
0004846387.tif 000005
【図５】
0004846387.tif 000006
【図６】
0004846387.tif 000007
【図７】
0004846387.tif 000008
【図８】
0004846387.tif 000009
【図９】
0004846387.tif 000010
【図１０】
0004846387.tif 000011
【図１１】
0004846387.tif 000012
【図１２】
0004846387.tif 000013